(57)【要約】【課題】  エンボス加工により形成された文字情報の画像を不具合無く正確に読み取ることが可能なクレジットカード処理装置、クレジットカード処理システム及びクレジットカード処理方法を提供する。【解決手段】  画像読取センサ付きプリンタ１０は、エンボス加工によって表面に凸部ＣＡが形成されかつ裏面に凸部ＣＡに対応する凹部ＣＢが形成されたクレジットカードＣを搬送するカード搬送路４１と、カード搬送路４１の一方に配置され、カード搬送路４１を搬送されるクレジットカードＣを読み取リ可能な画像読取センサ４４とを備えている。クレジットカードＣは、表面がカード搬送路４１の他方に向けられた状態でカード搬送路４１を搬送され、画像読取センサ４４は、クレジットカードＣの裏面を読み取ることにより、凸部ＣＡに対応する凹部ＣＢを含むクレジットカード画像データを生成する。【選択図】  図２
2005208819.tif 000002
【特許請求の範囲】
【請求項１】
エンボス加工によって表面に凸部が形成されかつ裏面に前記凸部に対応する凹部が形成されたクレジットカードを搬送するカード搬送路と、
前記カード搬送路の一方に配置され、前記カード搬送路を搬送される前記クレジットカードを読み取リ可能な画像読取センサと、を備え、
前記クレジットカードは、前記表面が前記カード搬送路の他方に向けて前記カード搬送路を搬送され、
前記画像読取センサは、前記クレジットカードの裏面を読み取ることにより、前記凸部に対応する前記凹部を含むクレジットカード画像データを生成することを特徴とするクレジットカード処理装置。
【請求項２】
前記クレジットカード画像データをホストコンピュータに送信し、かつ前記クレジットカード画像データを基に前記ホストコンピュータが生成した前記凹部に対応するカード情報を受信する通信処理部と、
前記カード情報を所定の用紙に印刷する印刷処理部とを有することを特徴とする請求項１記載のクレジットカード処理装置。
【請求項３】
前記カード情報は、前記クレジットカード画像データを反転処理することにより生成された前記凸部に対応する画像データであることを特徴とする請求項２記載のクレジットカード処理装置。
【請求項４】
前記カード情報は、前記クレジットカード画像データを反転処理しかつ文字認識を行うことにより生成された前記凸部に対応するテキストデータであることを特徴とする請求項２記載のクレジットカード処理装置。
【請求項５】
前記通信処理部は、前記カード情報を前記クレジットカード画像データとともに前記ホストコンピュータから受信し、
前記印刷処理部は、前記クレジットカード画像データと前記カード情報を前記所定の用紙に印刷することを特徴とする請求項２〜４の何れか１項に記載のクレジットカード処理装置。
【請求項６】
前記カード情報と前記クレジットカード画像データは、前記通信処理部が受信するレシートデータに含まれており、
前記印刷処理部は、前記レシートデータを基に印刷を行うことを特徴とする請求項５記載のクレジットカード処理装置。
【請求項７】
前記カード情報は、クレジットカード番号であることを特徴とする請求項１〜６の何れか１項に記載のクレジットカード処理装置。
【請求項８】
エンボス加工によって表面に凸部が形成されかつ裏面に前記凸部に対応する凹部が形成されたクレジットカードを処理するクレジットカード処理装置と、該クレジットカード処理装置と通信可能に接続されたホストコンピュータとを備えたクレジットカード処理システムであって、
前記クレジットカード処理装置は、
前記クレジットカードを搬送するカード搬送路と、
前記カード搬送路の一方に配置され、前記カード搬送路を搬送される前記クレジットカードを読み取リ可能な画像読取センサと、を備え、
前記クレジットカードは、前記表面が前記カード搬送路の他方に向けて前記カード搬送路を搬送され、
前記画像読取センサは、前記クレジットカードの裏面を読み取ることにより、前記凸部に対応する前記凹部を含むクレジットカード画像データを生成し、
前記ホストコンピュータは、
前記クレジットカード画像データを基に前記凹部に対応するカード情報を生成することを特徴とするクレジットカード処理システム。
【請求項９】
前記クレジットカード処理装置は、前記ホストコンピュータから前記カード情報を受信し、受信した前記カード情報を基に印刷を行うことを特徴とする請求項８記載のクレジットカード処理システム。
【請求項１０】
前記ホストコンピュータは、前記クレジットカード画像データを反転処理することにより前記凸部に対応する画像データを生成することを特徴とする請求項８記載のクレジットカード処理システム。
【請求項１１】
前記ホストコンピュータは、前記クレジットカード画像データを反転処理しかつ文字認識を行うことにより前記凸部に対応するテキストデータを生成することを特徴とする請求項８記載のクレジットカード処理システム。
【請求項１２】
前記クレジットカード処理装置は、前記カード情報を前記クレジットカード画像データとともに前記ホストコンピュータから受信し、前記クレジットカード画像データと前記カード情報を前記所定の用紙に印刷することを特徴とする請求項９〜１２の何れか１項に記載のクレジットカード処理システム。
【請求項１３】
前記ホストコンピュータは、前記カード情報と前記クレジットカード画像データとを含むレシートデータを生成し、
前記クレジットカード処理装置は、前記レシートデータを基に印刷を行うことを特徴とする請求項１２記載のクレジットカード処理システム。
【請求項１４】
前記カード情報は、クレジットカード番号であることを特徴とする請求項８〜１３の何れか１項に記載のクレジットカード処理システム。
【請求項１５】
エンボス加工によって表面に凸部が形成されかつ裏面に前記凸部に対応する凹部が形成されたクレジットカードを搬送するステップと、
前記クレジットカードの裏面を読み取り、前記凸部に対応する前記凹部を含むクレジットカード画像を生成するステップと、を有することを特徴とするクレジットカード処理方法。
【請求項１６】
前記クレジットカード画像データを基に生成した前記凹部に対応するカード情報を生成するステップを有することを特徴とする請求項１５記載のクレジットカード処理方法。
【請求項１７】
前記カード情報を所定の用紙に印刷するステップを有することを特徴とする請求項１６記載のクレジットカード処理方法。
【請求項１８】
前記カード情報は、前記クレジットカード画像データを反転処理することにより生成された前記凸部に対応する画像データであることを特徴とする請求項１６または１７記載のクレジットカード処理方法。
【請求項１９】
前記カード情報は、前記クレジットカード画像データを反転処理しかつ文字認識を行うことにより生成された前記凸部に対応するテキストデータであることを特徴とする請求項１６または１７記載のクレジットカード処理方法。
【請求項２０】
前記カード情報と前記クレジットカード画像データを含むレシートデータを生成するステップとを有し、
前記印刷は、前記レシートデータを基に行われることを特徴とする請求項１６〜１９の何れか１項に記載のクレジットカード処理方法。
【請求項２１】
前記カード情報は、クレジットカード番号であることを特徴とする請求項１５〜２０の何れか１項に記載のクレジットカード処理方法。
【発明の詳細な説明】
【技術分野】
【０００１】
本発明は、クレジットカードの画像を読み取るクレジットカード処理装置、クレジットカード処理システム及びクレジットカード処理方法に関する。
【背景技術】
【０００２】
用紙やカード等の読取媒体に描かれた画像情報を取得する装置としては、イメージスキャナが一般的に用いられている。イメージスキャナは、読み取りヘッドを読取媒体に密着させた状態で、読み取りヘッドに設けられたＬＥＤ等から読取媒体に光を照射し、読取媒体上で反射した光を読み取りヘッドに設けられた画像読取センサを用いて受光することによって読取媒体上の画像情報を取得する（例えば、特許文献１参照）。
【０００３】
イメージスキャナによって読み取られる読取媒体としては様々なものが考えられるが、ときにはクレジットカードの画像を取得するケースも考えられる。クレジットカードは、一般に磁気読取装置によってその磁気データ保持部を読み取ることにより、クレジットカードが有する磁気データの読み取りが行われるが、例えば磁気読取装置が故障したり、またクレジットカードの磁気データが破損していたりする場合には、イメージスキャナを用いてクレジットカードの表面の画像情報を取得することが有効であると考えられる。
【０００４】
図１０（ａ）は、クレジットカードＣを表面から見た図であり、図１０（ｂ）は、クレジットカードＣの表面の一部拡大斜視図であり、図１０（ｃ）は、クレジットカードＣを裏面から見た図であり、図１０（ｄ）は、クレジットカードＣの裏面の一部拡大斜視図である。
【０００５】
図１０（ａ）に示すように、クレジットカードＣの表面には様々な情報が記載されている。例えば、クレジットカードＣには、図１０（ａ）に示すように、カードの意匠性を高めるためのデザインが施されている。このクレジットカードＣの場合には、カード長手方向に２本の波線Ｌ１，Ｌ２が描かれ、そしてカード幅方向に２本の直線Ｌ３，Ｌ４が描かれることによって幾何学的な文様がデザインされている。そして、クレジットカードＣの右側には、カード会社の種類を示すマークＭ１，Ｍ２が施されて、クレジットカードＣの全体のイメージを決定づけている。このクレジットカードＣは、さらにデザイン性を高めるために、波線Ｌ１，Ｌ２及び直線Ｌ３，Ｌ４で区切られた各領域には、様々な色が着色されている。
【０００６】
また図１０（ａ）に示すように、クレジットカードＣには、カード会社が発行するカードの種類を示すカード名Ｃ１と、カード固有の番号であるカード番号Ｃ２と、カード発行会社名を識別するためのカード会社コードＣ３と、クレジットカードＣの有効期限Ｃ４と、クレジットカードＣの所有者名Ｃ５等が記載されている。これらのうち、カード番号Ｃ２、カード会社コードＣ３、有効期限Ｃ４及び所有者名Ｃ５等は、エンボス加工により文字が表現されている。図１０（ａ）及び図１０（ｃ）において、白抜き文字の部分（Ｃ２〜Ｃ５）がエンボス加工により形成された文字情報である。
また、図１１（ｃ）に示すように、クレジットカードＣの裏面には、所有者のサインが記載されるサイン欄ＣＳが設けられている。
【０００７】
ここで、エンボス加工とは、カード基材を型押しして文字や模様をカード基材の表面から浮き上がらせる加工法である。本クレジットカードＣの場合には、図１０（ｂ）に示すように、このエンボス加工が施されたクレジットカードＣの表面には文字を象る複数の凸部ＣＡが形成され、一方、図１０（ｄ）に示すように、クレジットカードＣの裏面は、表面に浮き上がった凸部ＣＡに対応して複数の凹部ＣＢが形成されている。図１０（ａ）〜図１０（ｄ）からわかるように、クレジットカードＣの表面の凸部ＣＡの形状と裏面の凹部ＣＢの形状とは、互いに鏡像関係（線対称の関係）にある。
【０００８】
一般に、イメージスキャナは、クレジットカードＣに記載された各種文字情報を読み取る場合、このクレジットカードＣの表面をスキャンし、読み取った画像をホストコンピュータに転送する。そして、ホストコンピュータは、読み取った画像に対してＯＣＲ処理等を施して画像の文字認識する、得られた画像を画面に表示する、所定の用紙に印刷する等の処理を行う。ここで、イメージスキャナは、データ量を削減するため、読み取った画像を二値化した後にホストコンピュータに画像を転送するようにしてもよい。
【特許文献１】特開平１１−２８４８０１（００１４段落，図１）
【発明の開示】
【発明が解決しようとする課題】
【０００９】
一般に、ＣＩＳタイプのイメージスキャナは、その画像読取面に読み取り媒体を密着させて画像を読み取るものである。この種のイメージスキャナは、被写界深度が浅く、上述したようなＣＩＳタイプのイメージスキャナによって凸部ＣＡを有するクレジットカードＣの表面をスキャンすると、凸部ＣＡの表面とクレジットカードＣの基板表面との間の距離差によってピントがぼけた画像となってしまうおそれがある。
【００１０】
また、イメージスキャナがクレジットカードＣに対して読み取り用の光を照射すると、光の照射角度によってはエンボス加工により形成された凸部ＣＡの影がクレジットカード上に落ちてしまい、凸部ＣＡの影とクレジットカードＣの背景とが同化して、凸部ＣＡが正しく読み取れない場合がある。このような場合には、凸部ＣＡにより表現された文字と背景の画像が混ざってしまい、双方を読み取った画像中で明確に区別できなくなるおそれがある。
【００１１】
また、一般に、イメージスキャナの搬送路は、凹凸を有さない平坦なカードや用紙を搬送することを意識して設計されていることが多い。そのため、クレジットカードＣの搬送路は、平坦に形成されているのではなく、特にイメージスキャナの画像読取素子及びその近傍には、様々な凹凸が図らずも形成されている場合がある。このようなイメージスキャナで、凸部を有するクレジットカードＣを搬送路にそって搬送すると、搬送路内でクレジットカードＣの凸部がカード搬送路内の凹凸と引っかかり等の干渉が生じ、正常にクレジットカードが搬送されない、搬送路内でクレジットカードがつまる等の不具合が生じてしまうおそれもある。
【００１２】
本発明は、上記問題点を鑑み、エンボス加工により形成された文字情報の画像を不具合無く正確に読み取ることが可能なクレジットカード処理装置、クレジットカード処理システム及びクレジットカード処理方法を提供することを目的とする。
【課題を解決するための手段】
【００１３】
本発明の上記課題は、以下のような構成によって達成される。
（１）  エンボス加工によって表面に凸部が形成されかつ裏面に前記凸部に対応する凹部が形成されたクレジットカードを搬送するカード搬送路と、
前記カード搬送路の一方に配置され、前記カード搬送路を搬送される前記クレジットカードを読み取リ可能な画像読取センサと、を備え、
前記クレジットカードは、前記表面が前記カード搬送路の他方に向けて前記カード搬送路を搬送され、
前記画像読取センサは、前記クレジットカードの裏面を読み取ることにより、前記凸部に対応する前記凹部を含むクレジットカード画像データを生成することを特徴とするクレジットカード処理装置。
（２）  前記クレジットカード画像データをホストコンピュータに送信し、かつ前記クレジットカード画像データを基に前記ホストコンピュータが生成した前記凹部に対応するカード情報を受信する通信処理部と、
前記カード情報を所定の用紙に印刷する印刷処理部とを有することを特徴とする（１
記載のクレジットカード処理装置。
（３）  前記カード情報は、前記クレジットカード画像データを反転処理することにより生成された前記凸部に対応する画像データであることを特徴とする（２）記載のクレジットカード処理装置。
（４）  前記カード情報は、前記クレジットカード画像データを反転処理しかつ文字認識を行うことにより生成された前記凸部に対応するテキストデータであることを特徴とする（２）記載のクレジットカード処理装置。
（５）  前記通信処理部は、前記カード情報を前記クレジットカード画像データとともに前記ホストコンピュータから受信し、
前記印刷処理部は、前記クレジットカード画像データと前記カード情報を前記所定の用紙に印刷することを特徴とする（２）〜（４）の何れか１項に記載のクレジットカード処理装置。
（６）  前記カード情報と前記クレジットカード画像データは、前記通信処理部が受信するレシートデータに含まれており、
前記印刷処理部は、前記レシートデータを基に印刷を行うことを特徴とする（５）記載のクレジットカード処理装置。
（７）  前記カード情報は、クレジットカード番号であることを特徴とする（１）〜（６）の何れか１項に記載のクレジットカード処理装置。
（８）  エンボス加工によって表面に凸部が形成されかつ裏面に前記凸部に対応する凹部が形成されたクレジットカードを処理するクレジットカード処理装置と、該クレジットカード処理装置と通信可能に接続されたホストコンピュータとを備えたクレジットカード処理システムであって、
前記クレジットカード処理装置は、
前記クレジットカードを搬送するカード搬送路と、
前記カード搬送路の一方に配置され、前記カード搬送路を搬送される前記クレジットカードを読み取リ可能な画像読取センサと、を備え、
前記クレジットカードは、前記表面が前記カード搬送路の他方に向けて前記カード搬送路を搬送され、
前記画像読取センサは、前記クレジットカードの裏面を読み取ることにより、前記凸部に対応する前記凹部を含むクレジットカード画像データを生成し、
前記ホストコンピュータは、
前記クレジットカード画像データを基に前記凹部に対応するカード情報を生成することを特徴とするクレジットカード処理システム。
（９）  前記クレジットカード処理装置は、前記ホストコンピュータから前記カード情報を受信し、受信した前記カード情報を基に印刷を行うことを特徴とする（８）記載のクレジットカード処理システム。
（１０）  前記ホストコンピュータは、前記クレジットカード画像データを反転処理することにより前記凸部に対応する画像データを生成することを特徴とする（８）記載のクレジットカード処理システム。
（１１）  前記ホストコンピュータは、前記クレジットカード画像データを反転処理しかつ文字認識を行うことにより前記凸部に対応するテキストデータを生成することを特徴とする（８）記載のクレジットカード処理システム。
（１２）  前記クレジットカード処理装置は、前記カード情報を前記クレジットカード画像データとともに前記ホストコンピュータから受信し、前記クレジットカード画像データと前記カード情報を前記所定の用紙に印刷することを特徴とする（９）〜（１２）の何れか１項に記載のクレジットカード処理システム。
（１３）  前記ホストコンピュータは、前記カード情報と前記クレジットカード画像データとを含むレシートデータを生成し、
前記クレジットカード処理装置は、前記レシートデータを基に印刷を行うことを特徴とする（１２）記載のクレジットカード処理システム。
（１４）  前記カード情報は、クレジットカード番号であることを特徴とする（８）〜（１３）の何れか１項に記載のクレジットカード処理システム。
（１５）  エンボス加工によって表面に凸部が形成されかつ裏面に前記凸部に対応する凹部が形成されたクレジットカードを搬送するステップと、
前記クレジットカードの裏面を読み取り、前記凸部に対応する前記凹部を含むクレジットカード画像を生成するステップと、を有することを特徴とするクレジットカード処理方法。
（１６）  前記クレジットカード画像データを基に生成した前記凹部に対応するカード情報を生成するステップを有することを特徴とする（１５）記載のクレジットカード処理方法。
（１７）  前記カード情報を所定の用紙に印刷するステップを有することを特徴とする（１６）記載のクレジットカード処理方法。
（１８）  前記カード情報は、前記クレジットカード画像データを反転処理することにより生成された前記凸部に対応する画像データであることを特徴とする（１６）または（１７）記載のクレジットカード処理方法。
（１９）  前記カード情報は、前記クレジットカード画像データを反転処理しかつ文字認識を行うことにより生成された前記凸部に対応するテキストデータであることを特徴とする（１６）または（１７）記載のクレジットカード処理方法。
（２０）  前記カード情報と前記クレジットカード画像データを含むレシートデータを生成するステップとを有し、
前記印刷は、前記レシートデータを基に行われることを特徴とする（１６）〜（１９）の何れか１項に記載のクレジットカード処理方法。
（２１）  前記カード情報は、クレジットカード番号であることを特徴とする（１５）〜（２０）の何れか１項に記載のクレジットカード処理方法。
【発明の効果】
【００１４】
本発明によれば、クレジットカードのエンボス加工部分を読み取るために、クレジットカードの裏面を読み取り、表面の凸部に対応する凹部を含んだクレジットカード画像データを生成している。
【００１５】
したがって、画像読取センサの画像読取面から凸部を介してクレジットカードの表面が浮くことが無く、クレジットカードのエンボス加工部分以外の情報とともに、凹部のエッジを明確にスキャンすることが可能となる。よって、クレジットカードの表面側を読み取る場合と比較して、クレジットカードの読み取り精度が向上し、明確にエンボス加工部分の情報を取得することができる。
【００１６】
また、クレジットカードＣの裏面を読み取ることにより、裏面に記載されている所有者のサインの画像データも取得することが可能となるため、顧客がサインする店舗控えとクレジットカードに記載されたサインとの照合を後ほど行うことも可能となり、クレジットカードの不正使用等の防止をはかり、信頼性を向上させることができる。
【００１７】
画像読取センサ及びその近傍に対して、クレジットカードの凸部が全く接触しないため、凸部を有するクレジットカードＣを搬送路にそって搬送しても、カード搬送路内でクレジットカードの凸部が画像読取センサ及びその近傍の凹凸と引っかかり等の干渉が生じない。したがって、クレジットカードの表面を読み取る場合と比較して、裏面を読み取る場合のほうが、カード搬送路内でクレジットカードがつまる等の不具合が生じにくく、クレジットカードを安定的に搬送することが可能となる。
【発明を実施するための最良の形態】
【００１８】
以下、図面を参照しながら、本発明に係るクレジットカード処理装置、クレジットカード処理システム及びクレジットカード処理方法の実施の形態について、詳細に説明を行う。
【００１９】
図１は、本実施形態のクレジットカード処理システム全体の外観斜視図である。
図１に示すように、本実施形態のクレジットカード処理システム１は、クレジットカード処理装置である画像読取センサ付きプリンタ１０と、この画像読取センサ付きプリンタ１０と通信ケーブル５を介して通信可能に接続されたホストコンピュータ１００とから構成されている。
【００２０】
本実施形態の主要な特徴について説明すると、画像読取センサ付きプリンタ１０は、クレジットカードＣの裏面の画像を読み取ることにより、エンボス加工により形成された凹部を含む裏面画像データを取得する。そして、ホストコンピュータ１００は、画像読取センサ付きプリンタ１０から裏面画像データを取得し、この裏面画像データの全部または一部に反転処理を加えることにより、エンボス加工により形成された表面の凸部に対応した形状を有する文字認識可能な凹部を含む画像データを生成する。そして、この反転処理後の凹部を含む画像データに対して文字認識処理して生成されたテキストデータ、またはこの凹部を含む画像データをそのまま凸部形状が表現している画像データとして取り扱うものである。
【００２１】
以下の説明においては、まず画像読取センサ付きプリンタ１０及びホストコンピュータ１００の構造について説明し、その後にクレジットカードＣの画像読取制御について説明していく。
【００２２】
（画像読取センサ付きプリンタの構造）
図２は、画像読取センサ付きプリンタ１０の部分断面図である。図３は、画像読取センサ付きプリンタ１０の上面蓋体部を示す斜視図である。図４は、内部カバーが開かれた状態におけるカード搬送路の上面側を示す断面図である。
【００２３】
本実施形態の画像読取センサ付きプリンタ１０は、ロール紙Ｐとスリップ紙Ｓの双方へ印刷可能であり、かつスリップ紙Ｓ、クレジットカードＣ等に記録された画像情報を読み取り可能なスキャナ付きプリンタである。
【００２４】
画像読取センサ付きプリンタ１０は、図１に示すように、筐体１１ａ内部に連続紙としてのロール紙Ｐを収納するとともに、このロール紙Ｐへの印字を行う印字機構等を備える背面側筐体部１１と、背面側筐体部１１の正面側に設けられ、背面側筐体部１１との間にスリップ紙Ｓが搬送されるスリップ紙搬送路２１を画成する正面側筐体部１２と、背面側筐体部１１の上面側を覆うように取り付けられ、クレジットカードＣ等の媒体に記録された画像情報を読み取るカード画像読取センサ等を収納する上面蓋体部１３とが一体に形成されて構成されている。
【００２５】
ここで、正面側筐体部１２は、スリップ紙搬送路２１を介して筐体部１１から隔てられた正面側カバー１２ａと、正面カバー１２ａを片支持状態で保持する正面側側部１２ｂとから構成されている。スリップ紙Ｓは、図１に示すように、画像読取センサ付きプリンタ１０の正面側であって、かつ背面側筐体部１１の筐体１１ａと正面側筐体部１２の正面側筐体部１２の正面カバー１２ａとの間に開口したスリップ紙挿入口２１ａからスリップ紙搬送路２１内に挿入可能とされている。
【００２６】
スリップ紙搬送路２１には、図示せぬ複数の搬送ローラが設けられており、スリップ紙Ｓはこれらの搬送ローラによって搬送されながら、表面または裏面に印字が行われる。また、スリップ紙搬送路２１には、図示せぬスリップ紙画像読取センサが設けられており、スリップ紙Ｓの表面の画像を読み取り可能となっている。また、スリップ紙挿入口２１ａ近傍には、図示せぬＭＩＣＲ読取センサが設けられており、スリップ紙Ｓ上に印字されたＭＩＣＲ文字を読み取り可能に構成されている。
【００２７】
次に、図２を参照しながら、ロール紙搬送路３５と、ロール紙搬送路３５近傍に配置された各部材の動作の説明を行う。筐体部１１と上面側蓋体部１３との間には、ロール紙搬送路３５が形成されている。ロール紙Ｐは、背面側筐体部１１内部に設けられたロール紙収納壁３１によって形成されたロール紙収納部３０に装填されている。このロール紙Ｐは、ロール紙搬送路３５に沿って送り出され、筐体１１ａと上面カバー１３ａとの間に開口したロール紙排出口３５ａから排出される。
【００２８】
このロール紙収納部３０は、ドロップイン方式のロール紙収納部であり、ロール紙Ｐは、ロール紙収納部３０内に投入して装填される。このロール紙Ｐの用紙供給は、ロール紙Ｐがロール紙収納壁３１にガイドされながら回転することによって行われる。ロール紙収納部３０に配置されたロール紙Ｐの一端は、ロール紙収納部３０から引き出されて、プラテンローラ３２によって搬送されながら、サーマル印字ヘッド３３によって印字が行われる。印字されたロール紙Ｐは、ロール紙搬送路３５を通ってロール紙排出口３５ａから排出される。
【００２９】
プラテンローラ３２及びサーマル印字ヘッド３３の上方には、図２に示すように、オートカッタ３４が配置されている。オートカッタ３４は、ロール紙搬送路３５の一方側に配置された固定刃３４ａと、ロール紙搬送路３５を挟んで他方側に固定刃３４ａに対応して配置された可動刃３４ｂとを有しており、可動刃３４ｂが、ロール紙搬送路３５に向かって図２の矢印Ａ方向に移動して、固定刃３４ａとの間にロール紙Ｐを挟み込むことによって、ロール紙Ｐを切断する。
【００３０】
上面蓋体部１３の下部には、主要骨格としてフレーム５１が設けられている。このフレーム５１は、ヒンジ部５２を介して、背面側筐体部１１に設けられた固定部５３に対して回動可能に構成されており、これにより上面蓋体部１３が、ロール紙収納部３０に対して開閉動作可能に構成されている。ロール紙Ｐの交換時には、ヒンジ部５２を介して上面蓋体部１３が開かれてロール紙収納部３０にロール紙Ｐを挿入可能な状態となる。
【００３１】
次に、カード画像情報読取部４０について説明を行う。カード画像情報読取部４０は、シートフィード方式のイメージスキャナであり、読取媒体であるクレジットカードＣを搬送しながらクレジットカードＣ上の画像を読み取るものである。カード画像情報読取部４０は、図２に示すように、上面カバー１３ａと、ロール紙収納部３０との間に設けられており、クレジットカードＣ等を図２及び図３に示すカード挿入口４１ａからカード搬送路４１内に挿入し、クレジットカードＣ上の画像情報を読み取り可能に構成されている。なお、図３に示すように、上面カバー１３ａのカード挿入口４１ａの手前側には、クレジットカードＣをガイドしてクレジットカードＣの挿入を補助するテーブル１３ｂが形成されている。また、カード挿入口４１ａに隣接した上面カバー１３ａには、ユーザにクレジットカードＣの読み取り動作に関わるプリンタの状態を通知するＬＥＤ表示部１６が設けられている。
【００３２】
カード画像情報読取部４０において、カード搬送路４１の上面側、すなわち上面カバー１３ａ側には、第１送りローラ４３ａ、カード画像読取センサ４４、および第２送りローラ４６ａがカード搬送路４１に沿って配置されている。一方、カード搬送路４１の下面側、すなわちロール紙収納部３０側には、第１押さえローラ４３ｂ、押しつけローラ４５、および第２押さえローラ４６ｂが、それぞれ第１送りローラ４３ａ、カード画像読取センサ４４、および第２送りローラ４６ａと対向する位置に配置されている。
【００３３】
第１送りローラ４３ａおよび第１押さえローラ４３ｂは、カード挿入口４１ａとカード画像読取センサ４４との間（カード画像読取センサ４４の上流側）に配置されており、カード搬送路４１内に挿入されたクレジットカードＣをカード搬送路４１に沿って前後に搬送可能に構成されている。第１送りローラ４３ａおよび第１押さえローラ４３ｂによって搬送されたクレジットカードＣは、カード画像読取センサ４４と押しつけローラ４５との間に送られる。
【００３４】
カード画像読取センサ４４は、クレジットカードＣの表面に記録された文字や画像を読み取るＣＩＳタイプのカラーイメージセンサである。カード画像読取センサ４４は、押しつけローラ４５によってカード画像読取センサ４４の画像読取面４４ａにカード厚に応じた押し付け力によって適宜押しつけられた状態で、文字や画像等の画像情報を読み取る。具体的には、カード画像読取センサ４４は、カード搬送路４１を搬送されるクレジットカードＣの上面に光を照射し、クレジットカードＣ上で反射した光を画像読取面４４ｈで受光する。画像読取面４４ｈ側には、図示せぬ複数の光電変換素子が長手方向（カード搬送方向に垂直な方向、クレジットカードＣの幅方向）に１列に配列されており、各光電変換素子は受光した光量に応じた電気信号を生成する。
【００３５】
第２送りローラ４６ａおよび第２押さえローラ４６ｂは、カード画像読取センサ４４の下流側に配置されており、カード搬送路４１内に挿入されたクレジットカードＣをカード搬送路４１に沿って前後に搬送可能に構成されている。
【００３６】
また、第２送りローラ４６ａおよび第２押さえローラ４６ｂの下流側であって、カード搬送路４１と上面カバー１３ａとの交差する位置には、張り出し開口４１ｂが開口している。この張り出し開口４１ｂは、カード搬送路４１内のクレジットカードＣが、第２送りローラ４６ａおよび第２押さえローラ４６ｂによってニップされた状態でカード搬送路４１の下流側に送り出されて、一時的に画像読取センサ付きプリンタ１０の背面側から張り出すことを許容するものである。
【００３７】
ロール紙収納部３０側に配置された第１押さえローラ４３ｂ、押しつけローラ４５、および第２押さえローラ４６ｂは、カード搬送路４１とロール紙収納部３０との間に配置された内部カバー４２に回転可能に支持されている。内部カバー４２は、カード搬送路４１をなすカード搬送面４２ａがその上面に形成されており、第１押さえローラ４３ｂ、押しつけローラ４５、および第２押さえローラ４６ｂは、カード搬送面４２ａから一部突出して、それぞれ第１送りローラ４３ａ、カード画像読取センサ４４、および第２送りローラ４６ａに当接可能に構成されている。
【００３８】
この内部カバー４２は、ヒンジ部５５を介して、上面蓋体部１３側からカード搬送方向に略垂直に立設したガイド壁５４，５４に回動可能に取り付けられている。さらに詳細に説明すると、ヒンジ部５５は、内部カバー４２の背面側に設けられており、上面蓋体部１３が開かれた状態で、上方に向けられた内部カバー４２の正面側がプリンタ１０の正面側に向かって引き出されて、プリンタ１０の正面側からカード搬送路４１の各種部材のメンテナンス可能に構成されている。
【００３９】
また、内部カバー４２が取り付けられたガイド壁５４，５４は、図４に示すように、カード搬送路４１内に挿入されたクレジットカードＣの挿入方向を修正する案内部材となる。例えば、クレジットカードＣがカード搬送方向（ここでは、カード挿入口４１ａに対して垂直かつ用紙搬送面４２ａに平行な方向）に対して少し斜めに挿入された場合には、第１送りローラ４３ａおよび第２送りローラ４６ａによって搬送されながら、ガイド壁５４，５４の何れか一方の壁面に当接して案内されることにより、クレジットカードＣの挿入方向が曲げられ、クレジットカードＣの搬送方向がカード搬送方向に揃うようになる。これにより、ガイド壁５４，５４は、クレジットカードＣの挿入方向がカード搬送方向に対して少し角度を持っていた場合であっても、クレジットカードＣは、カード搬送方向に沿って搬送されていく。
【００４０】
このカード搬送方向の修正は、第１送りローラ４３ａおよび第１押さえローラ４３ｂならびに第２送りローラ４６ａおよび第２押さえローラ４６ｂによって、カード挿入口４１ａ側から張り出し開口４１ｂに向かって順方向に搬送されて、クレジットカードＣが完全にカード画像読取センサ４４を通過するまでの間に行われる。そして、クレジットカードＣは、クレジットカードＣが完全にカード画像読取センサ４４を通過した後に、カード画像読取センサ４４の画像読取面４４ｈに逆方向に搬送される。これにより、カード画像読取センサ４４は、常にクレジットカードＣの向きが揃った状態で、クレジットカードＣの画像情報を正確に読み取ることができる。
【００４１】
また、図４に示すように、カード搬送路４１のカード挿入口４１ａの近傍には、カード検出器４８が設けられている。このカード検出器４８は、カード挿入口４１ａから挿入されたクレジットカードＣを検出するセンサである。第１送りローラ４３ａおよび第２送りローラ４６ａは、このカード検出器４８によって検出された後に、駆動開始するように構成されており、クレジットカードＣの挿入がトリガーとなって、カード搬送路４１内でのカード送り動作が開始される。
【００４２】
（ホストコンピュータの構造）
次に、再度図１を参照しながら、ホストコンピュータ１００について説明する。本実施形態のホストコンピュータ１００はレジスタ装置であり、例えば、店舗に配置されたＰＯＳシステムの一部を構成するものである。このホストコンピュータ１００は、ＵＳＢ等の通信ケーブル５を介して画像読取センサ付きプリンタ１０と通信可能に接続されており、画像読取センサ付きプリンタ１０に各種コマンドを送信することによって、画像読取センサ付きプリンタ１０を制御している。
【００４３】
このホストコンピュータ１００は、表示画面１０１ａを覆う透明なシートパネルに電気的なボタンを形成し、ユーザから入力を受け付け可能なタッチパネル１０１と、クレジットカードを読み取るためのクレジットカードリーダ１０６と、ユーザが購入する商品の単価、個数、単価×個数、小計金額、合計金額、釣り銭額等を購入者に表示する表示部１０７を備えている。なお、本実施形態では、クレジットカードリーダ１０６を使用しない形態のクレジットカードの処理について説明する。
【００４４】
（クレジットカード処理システムの制御回路）
次に、本実施形態のクレジットカード処理システム１におけるクレジットカードＣの画像読取及びそのデータ処理について説明する。
【００４５】
図５は、本実施形態のクレジットカード処理システム１のクレジットカードＣの画像読取制御に関連する構成要素を示すブロック図である。ここでは、クレジットカードＣの読み取り及び及び以後の処理に関連する主要な構成要素のみを説明し、関連が低い構成については、図示を省き説明を省略する。
【００４６】
まず、画像読取センサ付きプリンタ１０の内部回路ブロックを説明する。
本実施形態の画像読取センサ付きプリンタ１０では、図５に示すように、制御部６１によってカード搬送回路６３、カード検出器４８、ゲートアレイ６４、Ａ／Ｄコンバータ６５、カード画像読取センサ４４、及び通信インタフェース６６が統括的に制御されている。
【００４７】
カード搬送回路６３は、制御部６１から指示に応じて図示せぬステッピングモータを駆動制御し、ステッピングモータの回転数を制御することによりカードの送り量をステップ刻みで制御する回路である。ステッピングモータの出力は、第１送りローラ４３ａ及び第２送りローラ４６ａに伝達され、第１送りローラ４３ａ及び第２送りローラ４６ａを駆動する。これにより、第１送りローラ４３ａ及び第２送りローラ４６ａの回転量、すなわちクレジットカードＣの搬送長さは、ステッピングモータのステップ数に対応して制御される。
【００４８】
カード検出器４８は、カード挿入口４１ａから挿入されたクレジットカードＣの有無を検出して、クレジットカードＣの検出領域にクレジットカードＣが存在するかどうかを判別する。制御部６１は、カード検出器４８の検出結果に応じて、クレジットカードＣの搬送制御を行う。
【００４９】
Ａ／Ｄコンバータ６５は、カード画像読取センサ４４の光電変換素子から出力された１ライン分の電気信号をデジタル信号に変換する。Ａ／Ｄコンバータ６５は、デジタル信号に変換する前段において、各光電変換素子から出力された電気信号のオフセット、ゲインを調整した後にＡ／Ｄ変換するように構成しても良い。
【００５０】
ゲートアレイ６４は、Ａ／Ｄコンバータ６５によって作成された１ライン分のデジタル信号を一時保存するためのラインバッファである。ゲートアレイ６４に保存された１ライン分のデジタル信号は、制御部６１内の図示せぬカード画像保存領域に保存される。カード画像保存領域内には、クレジットカードＣから取得した画像データが１ライン分ずつ保存されていき、最終的にクレジットカードＣの二次元画像が得られる。
【００５１】
通信インタフェース６６は、ホストコンピュータ１００との通信を制御するものである。通信インタフェース６６は、ホストコンピュータ１００から各種制御コマンドを受信し、制御部６１に伝達する。制御部６１は、この各種制御コマンドに応じて、クレジットカードＣの読み取り、取得した画像データのホストコンピュータ１００への送信、画像読取センサ付きプリンタ１０の内部設定の変更等を実行する。
【００５２】
ロール紙印刷駆動回路６８は、プラテンローラ３２を駆動して、ロール紙搬送路３５に沿ってロール紙Ｐを搬送しながら、サーマル印字ヘッド３３を介してロール紙Ｐへの印刷を行わせる印刷制御回路である。このロール紙印刷駆動回路６８は、ホストコンピュータ１００から送信される印刷コマンドに応じて、所定の画像データをロール紙Ｐ上に印刷する。
【００５３】
本実施形態では、画像読取センサ４４は、クレジットカードＣの裏面を読み取るように構成されている。すなわち、クレジットカードＣは、カード搬送路４１内に、裏面が上を向くようにしてカード挿入口４１ａから挿入され、画像読取センサ４４の画像読取面４４ｈに対して、クレジットカードＣの裏面側が対向するようにする。そして、読み取られたクレジットカード画像データは、自動的にまたはホストコンピュータ１００から送信される送信要求コマンドに応じて通信インタフェース６６を介してホストコンピュータ１００へ送信される。
【００５４】
次に、ホストコンピュータ１００の内部回路ブロックを説明する。
ホストコンピュータ１００は、図５に示すように、制御部１１０を介して記憶部１１１、表示部１１２、入力部１１３及び通信インタフェース１１４が統括的に制御されている。
【００５５】
記憶部１１１は、ホストコンピュータ１００の主記憶部として構成されている。記憶部１１１には、画像読取センサ付きプリンタ１０から送信される画像データが保存され、制御部１１０は、この記憶部１１１に保存された画像データに対して後述する各種処理を施す。
【００５６】
表示部１１２は、ホストコンピュータ１００を操作するユーザに各種情報を表示する表示画面であり、本実施形態では、この表示部１１２は、図１に示すタッチパネル１０１（表示画面１０１ａ）によって構成されている。
また、入力部１１３は、ホストコンピュータ１００に各種情報を入力するための入力機器であり、本実施形態では、表示部１１２と一体化されたタッチパネル１０１によって構成されている。
【００５７】
通信インタフェース１１４は、画像読取センサ付きプリンタ１０との通信を制御するものである。ホストコンピュータ１００から各種制御コマンドは、この通信インタフェース１１４を介して画像読取センサ付きプリンタ１０に送信され、また画像読取センサ付きプリンタ１０から送信される画像データは、この通信インタフェース１１４を介して、記憶部１１１に送られる。
【００５８】
ホストコンピュータ１００は、クレジットカードＣの裏面をスキャンして得られたクレジットカード画像データを画像読取センサ付きプリンタ１００から受信すると、このクレジットカード画像データを記憶部１１１に保存する。そして、ホストコンピュータ１００は、このクレジットカード画像データを反転処理して、クレジットカードにエンボス加工で記載された文字情報を取得する。
【００５９】
以下、ホストコンピュータ１００におけるクレジットカード画像データの処理について、図６を参照しながらレシート発行を例に挙げて説明する。
図６は、制御部１１０内でのクレジットカード画像データの処理を説明するためのブロック図である。
【００６０】
制御部１１０内には、画像反転部１２１と、レシート情報作成部１２２と、文字認識部１２３と、レシートデータ作成部１２４と、レシートデータ出力部１２５がクレジットカード画像データを処理するための各種機能部として構成される。
【００６１】
画像反転部１２１は、記憶部１１１に保存されたクレジットカード画像データを読み出し、このクレジットカード画像データを画像反転処理する。この画像反転部１２１が行う画像反転処理とは、クレジットカード画像データの一方の側辺を対象軸として一対一対応で線対称に画像変換したものである。
【００６２】
図７（ａ）は、画像読取センサ付きプリンタ１０が取得したクレジットカード画像データであり、図７（ｂ）は、画像反転部１２１が反転処理した後のクレジットカード画像データを示す図である。また、図７（ｃ）は、クレジットカードＣの表面に対応する画像データである。
図７（ａ）に示すように、画像読取センサ付きプリンタ１０によって取得されたクレジットカードＣの裏面のクレジットカード画像は、サイン欄ＣＳとともにエンボス加工により形成された凹部によって表現された数字及び文字等の情報を確認することができる。しかしながら、これらの数字及び文字は表面に形成された凸部によって表現される数字及び文字と鏡像の関係にあり、このままでは一目で数字や文字を判別したり、文字認識処理を行うことが難しい。
【００６３】
一方、図７（ｂ）に示すように、画像反転部１２１によってクレジットカード画像データを反転処理すると、エンボス加工部分以外の部分は、もとのクレジットカード画像データと鏡像の関係となってしまうが、エンボス加工により形成された数字及び文字は、図７（ｃ）に示す表面の凸部で表現された数字及び文字と同一となる。すなわち、クレジットカードＣの裏面を読み取り、この裏面のクレジットカード画像データに反転処理を加えることにより、表面を読み取った場合と同様のエンボス加工部分の情報を取得することができる。
【００６４】
なお、本実施形態では、クレジットカード画像データをもとに、クレジットカードのエンボス加工部分の文字及び数字情報を取得するにあたっては、クレジットカード画像データの全体を反転処理する必要はなく、例えばエンボス加工部分のみをクレジットカード画像データから抽出して、この抽出した画像を反転処理するようにしても良い。また、例えば、エンボス加工部分中でも必要な情報が限られているような場合、例えば、１６桁のクレジットカード番号のみが必要な場合には、このクレジットカード番号を含む領域のみを抽出し、このクレジットカード番号を含む領域のみを反転処理するようにしても良い。
【００６５】
レシート情報作成部１２２は、入力部１１３を介して入力された情報を基に、顧客に対して発行するレシート情報を作成する。このレシート情報作成部１２２が生成するレシート情報としては、入力部１１３から入力された商品の種類及び数、商品の単価、小計、商品に係る税金ならびに合計金額等が挙げられる。
【００６６】
文字認識部１２３は、画像反転部１２１によって反転処理が施されたクレジットカード画像データに対して、ＯＣＲ処理を施してエンボス加工部分の文字または数字の認識を行う。
【００６７】
レシートデータ作成部１２４は、発行されるレシートの各種情報をまとめ上げてレシートデータを作成する。このレシートデータ作成部１２４は、例えば、レシート情報作成部１２２が作成したレシート情報と、記憶部１１１に保存されたクレジットカード画像データと、文字認識部１２３によって文字認識されたクレジットカード番号とをもとに、レシートや図８に示すような店舗控えを発行するためのレシートデータを作成する。以下の説明では、顧客に渡すレシートとレシートに対応する店舗控えを合わせてレシートと呼び、両者の区別が必要な場合には、随時説明を補足するようにする。
【００６８】
図８は、レシートデータ作成部１２４が生成するレシートデータに基づいて印刷されたレシート（ここでは、店舗控え）の例を示す図である。図８では、領域Ａ１に「店舗の名称、連絡先」等の情報が印刷され、そして領域Ａ２にレシートの発行日時が印刷され、そして領域Ａ３に「購入した商品の名称、個数、価格、小計、税金、合計金額」が印刷される。そして、領域Ａ４には、決済に用いるクレジットカードＣの画像データがそのまま印刷され、領域Ａ５に文字認識部１２３によって文字認識されたクレジットカード番号が印刷され、最終段の領域Ａ６には、クレジットカードの使用者のサイン欄が印刷される。なお、顧客に渡すレシートは、図８から最終段の領域Ａ６を省いたもの、すなわちサイン欄を取り除いたものとなる。
【００６９】
このように、本実施形態によれば、クレジットカードＣの裏面の画像データを反転処理することにより、顧客に対して手渡すレシートや店舗控えにクレジットカードＣの番号を正確に印字することが可能となる。
【００７０】
このレシートデータ作成部１２４が生成したレシートデータは、表示部１１２に表示される。そして、入力部１１３を介して、オペレータがレシートの発行指示を入力すると、レシートデータ作成部１２４は、レシートデータ出力部１２５にレシートデータを送る。そして、レシートデータ出力部１２５は、このレシートデータを基にレシートデータに対応した印刷データを作成し、印刷指示コマンドとともに印刷データを画像読取センサ付きプリンタ１０に送信する。
【００７１】
そして、画像読取センサ付きプリンタ１０は、印刷データを基に、ロール紙印刷駆動回路６８を介して、ロール紙Ｐに図８に対応するレシートを印刷し、出力することによりレシートが生成される。
【００７２】
図９は、上記レシート発行の流れをまとめたフローチャートである。
以下、図９を参照しながら、顧客が購入する商品を入力してからレシートを発行するまでの流れを順に説明してゆく。なお、本実施形態では、決済にあたってクレジットカードを用いるという前提で説明する。
【００７３】
まず、レジスタ装置であるホストコンピュータ１００を操作するオペレータは、顧客が購入する商品を入力部１１３（タッチパネル１０１）を介して入力する（ステップＳ１）。ホストコンピュータ１００は、オペレータによる入力が終わると、レシート情報作成部において顧客が購入する商品の単価及び個数から小計、税金、合計金額等を算出して、レシート情報を作成する（ステップＳ２）。
そして、ホストコンピュータ１００は、レシート情報の作成が完了すると、クレジットカードＣの読取を指示するスキャンコマンドを作成し、画像センサ付きプリンタ１０に送信する（ステップＳ３）。
【００７４】
一方、画像センサ付きプリンタ１０は、クレジットカードＣの読取を指示するスキャンコマンドを受信する（ステップＳ４）と、クレジットカードＣがカード搬送口４１ａからカード搬送路４１内に挿入するまで待機する（ステップＳ５）。
そして、クレジットカードＣがカード搬送口４１ａから挿入されると、クレジットカードＣを読み取り、クレジットカード画像データを生成する（ステップＳ６）。なお、ここでは、カード搬送路４１の上面側に設けられた画像読取センサ４４によってクレジットカードＣの裏面を読み取るために、クレジットカードＣの裏面を上にして、クレジットカード搬送口４１ａにクレジットカードＣを挿入する。
【００７５】
画像読取センサ付きプリンタ１０は、クレジットカード画像データを生成すると、自動的にまたはホストコンピュータ１００から画像送信指示に応じて、クレジットカード画像データをホストコンピュータ１００に送信する（ステップＳ７）。
【００７６】
ホストコンピュータ１００は、クレジットカード画像データを受信すると、受信した画像データを記憶部１１１に保存する（ステップＳ８）。そして、画像反転部１２１は、クレジットカード画像データを記憶部１１１から読み出して、このクレジットカード画像データの一部または全部に対して画像反転処理を行う（ステップＳ９）。
【００７７】
そして、文字認識処理部１２３は、画像反転部１２１によって生成された画像反転処理後のクレジットカード画像データの一部または全部に対して、ＯＣＲ処理を行い、クレジットカード画像データ中のエンボス加工部位の所定の情報、例えばクレジットカード番号を読み取る（ステップＳ１０）。
そして、レシートデータ作成部１２４は、レシート情報作成部１２２が作成したレシート情報と、記憶部１１１に記憶されたクレジットカード画像データ（画像反転処理以前のもの）と、文字認識処理部１２３が読み取ったエンボス加工部位の所定の情報を基に、レシートデータを作成する（ステップＳ１１）。
【００７８】
そして、ホストコンピュータ１００は、入力部１１３を介して入力されるオペレータからの指示に応じて、または自動的にレシートデータを、このレシートデータの印刷指示コマンドととも画像読取センサ付きプリンタ１０に送信する（ステップＳ１２）。
【００７９】
画像読取センサ付きプリンタ１０は、このレシートデータと印刷指示コマンドを受信する（ステップＳ１３）と、印刷指示コマンドに基づき、ロール紙Ｐ上にレシートデータを印刷し、例えば図８に示すようなレシートを発行する（ステップＳ１４）。
このようにして、クレジットカードＣの裏面を読み取り、クレジットカードＣのエンボス加工部位の所定の情報（図８では、クレジットカード番号）を取得し、この所定の情報を顧客に渡すレシートに印刷することができる。
【００８０】
以上説明したように、本実施形態のクレジットカード処理装置である画像読取センサ付きプリンタ１０は、エンボス加工によって表面に凸部ＣＡが形成されかつ裏面に凸部ＣＡに対応する凹部ＣＢが形成されたクレジットカードＣを搬送するカード搬送路４１と、カード搬送路４１の一方に配置され、カード搬送路４１を搬送されるクレジットカードＣを読み取リ可能な画像読取センサ４４とを備えている。そして、クレジットカードＣは、表面がカード搬送路４１の他方に向けられた状態でカード搬送路４１を搬送され、画像読取センサ４４は、クレジットカードＣの裏面を読み取ることにより、凸部ＣＡに対応する凹部ＣＢを含むクレジットカード画像データを生成する。
【００８１】
すなわち本実施形態では、クレジットカードＣのエンボス加工部分を読み取るために、クレジットカードＣの裏面を読み取り、表面の凸部ＣＡに対応する凹部ＣＢを含んだクレジットカード画像データを生成している。したがって、画像読取センサ４４の画像読取面４４ｈから凸部ＣＡを介してクレジットカードＣの表面が浮くことが無く、クレジットカードＣのエンボス加工部分以外の情報とともに、凹部ＣＢのエッジを明確にスキャンすることが可能となる。したがって、クレジットカードＣの表面側を読み取る場合と比較して、クレジットカードＣの読み取り精度が向上し、明確にエンボス加工部分の情報を取得することができる。また、クレジットカードＣの裏面を読み取ることにより、裏面に記載されている所有者のサインの画像データも取得することが可能となるため、顧客がサインする店舗控えとクレジットカードＣに記載されたサインとの照合を後ほど行うことも可能となり、クレジットカードの不正使用等の防止のための信頼性を向上させることができる。
【００８２】
また、画像読取センサ４４及びその近傍に対して、凸部ＣＡが全く接触しないため、凸部ＣＡを有するクレジットカードＣを搬送路にそって搬送しても、搬送路内でクレジットカードＣの凸部ＣＡが画像読取センサ４４及びその近傍の凹凸と引っかかり等の干渉が生じない。したがって、クレジットカードＣの表面を読み取る場合と比較して、裏面を読み取る場合のほうが、カード搬送路４１内でクレジットカードがつまる等の不具合が生じにくく、クレジットカードＣを安定的に搬送することが可能となる。
【００８３】
また、本実施形態の画像読取センサ付きプリンタ１０は、クレジットカード画像データをホストコンピュータ１００に送信し、そしてホストコンピュータ１００は、クレジットカード画像データを基に凹部ＣＢに対応するカード情報を生成する。このカード情報は、クレジットカード画像データを反転処理しかつ文字認識を行うことにより生成された凸部ＣＡに対応するテキストデータである。すなわち、クレジットカードＣの裏面を読み取った場合であっても、反転処理を施し、文字認識を行わせることにより通常は表面に凸部ＣＡによって刻印されたクレジットカードＣのカード番号等の文字・数字情報を取得することが可能となる。なお、クレジットカードのカード番号を取得するにあたっては、常に文字認識を行う必要はなく、場合によってはクレジットカード画像データを反転処理することにより生成された凸部ＣＡに対応する画像データをもってカード番号等の文字・数字情報として取り扱うようにしても良い。
【００８４】
画像読取センサ付きプリンタ１０は、クレジットカード画像データまたはカード情報をロール紙Ｐ（所定の用紙）に印刷することが可能である。したがって、上記実施形態で説明したように、画像読取センサ付きプリンタ１０がカード情報と前記クレジットカード画像データを含むレシートデータをホストコンピュータ１００から受信することにより、クレジットカード使用時のレシートを、このレシートデータを基に印刷をすることが可能となる。
【００８５】
なお、上記説明では、ホストコンピュータ１００が画像の反転、文字認識、レシートデータの作成等を行うとして説明したが、これに限られることはなく、例えば、ホストコンピュータの機能を画像読取センサ付きプリンタ１０に組み込み、画像読取センサ付きプリンタ１０で全ての処理を実行するように構成しても良い。
【００８６】
また、上記説明では、画像読取センサ付きプリンタ１０を例に挙げて説明を行ったが、これに限られず、カードを読み取り可能な一般的なスキャナ装置を用いて、同様の処理を実行させるように構成しても良い。
また、本実施形態のように、画像読取と印刷を一台で行うことができない場合には、クレジットカードＣの画像読取と、レシートデータの印刷を別々の装置で行わせるように構成してもよい。
【図面の簡単な説明】
【００８７】
【図１】本発明に係る実施形態のクレジットカード処理システムを示す外観斜視図である。
【図２】画像読取センサ付きプリンタの部分断面図である。
【図３】画像読取センサ付きプリンタの上面蓋体部を示す斜視図である。
【図４】内部カバー開状態におけるカード搬送路の上面側を示す断面図である。
【図５】クレジットカード処理システムのクレジットカードＣの画像読取制御に関連する構成要素を示すブロック図である。
【図６】制御部内でのクレジットカード画像データの処理を説明するためのブロック図である。
【図７】（ａ）は、画像読取センサ付きプリンタが取得したクレジットカード画像データであり、（ｂ）は、画像反転部が反転処理した後のクレジットカード画像データを示す図であり、（ｃ）は、クレジットカードＣの表面に対応する画像データである。
【図８】レシートデータ作成部が生成するレシートデータに基づいて印刷されたレシート（ここでは、店舗控え）の例を示す図である。
【図９】レシート発行の流れをまとめたフローチャートである。
【図１０】（ａ）は、クレジットカードＣを表面から見た図であり、（ｂ）は、クレジットカードＣの表面の一部拡大斜視図であり、（ｃ）は、クレジットカードＣを裏面から見た図であり、（ｄ）は、クレジットカードＣの裏面の一部拡大斜視図である。
【符号の説明】
【００８８】
１０・・画像読取センサ付きプリンタ  １１・・背面側筐体部  １２・・正面側筐体部  １３・・上面蓋体部  ４０・・カード画像読取部  ４１・・カード搬送路  ４１ａ・・カード挿入口  ４１ｂ・・張り出し開口  ４２・・内部カバー  ４３ａ・・第１送りローラ  ４３ｂ・・第１押さえローラ  ４４・・カード画像読取センサ  ４５・・押しつけローラ  ４６ａ・・第２送りローラ  ４６ｂ・・第２押さえローラ  ４８・・カード検出器  ６１・・制御部  ６３・・カード搬送回路  ６４・・ゲートアレイ  ６５・・Ａ／Ｄコンバータ  １００・・ホストコンピュータ  １１０・・制御部  １１１・・記憶部  １１２・・表示部  １１３・・入力部
【図１】
2005208819.tif 000003
【図２】
2005208819.tif 000004
【図３】
2005208819.tif 000005
【図４】
2005208819.tif 000006
【図５】
2005208819.tif 000007
【図６】
2005208819.tif 000008
【図７】
2005208819.tif 000009
【図８】
2005208819.tif 000010
【図９】
2005208819.tif 000011
【図１０】
2005208819.tif 000012